(57)【要約】【課題】フィルタに付着した毛髪を容易に除去することができる浴槽内ユニットを提供する。【解決手段】カバー５０の吸込口５５からメインフィルタ７１の前面の一部が露出するように当該吸込口５５を形成するようにした。このため、温水中の毛髪等は浮遊状態でカバー５０の吸込口５５から内部に吸込まれてメインフィルタ７１の前面に吸着される。温水中の毛髪等はメインフィルタ７１の前面で受けられるので、毛髪等の異物を狭い流通路を介して吸込むようにした場合と異なり、毛髪等が毛先からメインフィルタ７１内に侵入することが抑制される。従って、温水中の毛髪等がメインフィルタ７１の奥深くにおいて絡み合うことはない。そして、メインフィルタ７１を掃除する際には、当該メインフィルタ７１に付着した毛髪は容易に除去される。【選択図】        図４
2004321500.tif 000002
【特許請求の範囲】
【請求項１】
浴槽内に配置され、前面側に開口部を有する本体ケースと、当該本体ケースの開口部を覆うと共に温水の吸込口が形成されたカバーと、前記本体ケースとカバーとの間に配置されたフィルタとを備え、前記吸込口から吸込んだ浴槽内の温水中の異物を前記フィルタにより除去して処理ユニットへ供給する浴槽内ユニットにおいて、
前記カバーの吸込口から前記フィルタの前面の一部が露出するように前記吸込口を形成するようにした浴槽内ユニット。
【請求項２】
前記吸込口は前記カバーの下部において当該カバーの外周壁から前面壁の下部に亘って切欠形成するようにした請求項１に記載の浴槽内ユニット。
【請求項３】
前記カバー側にフィルタを取り付けた状態で当該カバーを本体ケースに着脱可能とした請求項２に記載の浴槽内ユニット。
【発明の詳細な説明】
【０００１】
【発明の属する技術分野】
本発明は、例えば浴槽内の温水を循環させる温水循環処理装置の浴槽内ユニットに関するものである。
【０００２】
【従来の技術】
従来、ポンプにより浴槽内の温水を吸込管を介して吸い上げて処理ユニットにて浄化、殺菌及び保温等の各種の処理を施し、この処理済みの温水を浴槽内に再び戻すようにした温水循環処理装置が知られている。この温水循環装置の吸込管の先端には浴槽内ユニットが設けられており、この浴槽内ユニットを温水が通過することにより温水中に入り込んだ細くて長い糸くず及び毛髪等の異物が除去される。これら毛髪等の異物が除去された温水は温水循環装置に供給されて各種の処理が行われる。この後、処理済みの温水は浴槽内ユニットを介して再び浴槽内に戻される。
【０００３】
浴槽内ユニットは、開口部を有した本体ケース及び当該本体ケースの開口部を覆うカバーを備えている。本体ケースとカバーとの間には例えば連泡性を有する発泡ウレタンにより形成されたフィルタが取り付けられている。フィルタとカバーの内底面との間に形成された空間は温水の流通路とされており、この流通路はカバーの外周壁下部に形成された吸込口を介して浴槽の内部と連通している。ポンプの駆動により吸込口から流通路内に吸い込まれた温水に含まれる毛髪等の異物はフィルタにより捕獲される（例えば、特許文献１，２参照。）。
【０００４】
【特許文献１】
特開平１０−３３７４１９号公報
【特許文献２】
特許第３３７２６１０号公報
【０００５】
【発明が解決しようとする課題】
ところが、前記従来の浴槽内ユニットには、次のような問題があった。即ち、浴槽内の温水はカバーの吸込口から吸い込まれてカバーとフィルタとの間の流通路を通ってフィルタに至る。この際、温水中の糸くず及び毛髪等はフィルタに至る前に水流と平行となる体勢に整えられ、フィルタ内に水流と同方向に毛髪であれば毛先から侵入して捕獲される。フィルタは例えば連泡性を有する発泡ウレタンにより形成されており、不均一な大きさの孔が３次元網状構造をなしている。このため、毛髪等はフィルタの孔内に奥深くまで入り込み、フィルタの内部に絡まった状態で捕獲される。従って、フィルタを掃除する際、当該フィルタを流水で洗い流したり揉み洗いしたりしただけでは毛髪等を除去することが困難であった。
【０００６】
本発明は上記問題点を解決するためになされたものであって、その目的は、フィルタに付着した糸くず及び毛髪等を容易に除去することができる浴槽内ユニットを提供することにある。
【０００７】
【課題を解決するための手段】
請求項１に記載の発明は、浴槽内に配置され、前面側に開口部を有する本体ケースと、当該本体ケースの開口部を覆うと共に温水の吸込口が形成されたカバーと、前記本体ケースとカバーとの間に配置されたフィルタとを備え、前記吸込口から吸込んだ浴槽内の温水中の異物を前記フィルタにより除去して処理ユニットへ供給する浴槽内ユニットにおいて、前記カバーの吸込口から前記フィルタの前面の一部が露出するように前記吸込口を形成するようにしたことを要旨とする。
【０００８】
請求項２に記載の発明は、請求項１に記載の発明において、前記吸込口は前記カバーの下部において当該カバーの外周壁から前面壁の下部に亘って切欠形成するようにしたことを要旨とする。
【０００９】
請求項３に記載の発明は、請求項２に記載の発明において、前記カバー側にフィルタを取り付けた状態で当該カバーを本体ケースに着脱可能としたことを要旨とする。
【００１０】
（作用）
請求項１に記載の発明によれば、カバーの吸込口から吸込んだ浴槽内の温水は当該温水に含まれる糸くず及び毛髪等の異物がフィルタにより除去されてから処理ユニットへ供給される。浴槽内の温水がカバーの吸込口から吸込まれる際、カバーの吸込口からフィルタの前面の一部が露出していることにより温水中の毛髪等は浮遊状態でカバーの吸込口から内部に吸込まれてフィルタの前面に吸着される。温水中の毛髪等はフィルタの前面で受けられるので、毛髪等の異物を狭い流通路を介して吸込むようにした場合と異なり、毛髪等が毛先からフィルタ内に侵入することが抑制される。このため、温水中の毛髪等がフィルタの奥深くにおいて絡み合うことはない。従って、フィルタを掃除する際、当該フィルタに付着した毛髪等は容易に除去される。従って、フィルタの掃除が簡単になる。
【００１１】
請求項２に記載の発明によれば、請求項１に記載の発明の作用に加えて、温水の吸込口は前記カバーの下部に形成される。このため、浴槽の底に沈んだ毛髪等の異物は効率よく吸込まれる。
【００１２】
請求項３に記載の発明によれば、請求項１又は請求項２に記載の発明の作用に加えて、カバー側にフィルタを取り付けた状態で当該カバーを本体ケースに着脱可能となる。このため、フィルタを掃除する際には、カバーを本体ケースから取り外すことで容易にフィルタを取り出すことができる。また、カバーを本体ケースに装着することで容易にフィルタを吸込口の下流側に配置できる。
【００１３】
【発明の実施の形態】
以下、本発明を温水循環処理装置の浴槽内ユニットに具体化した一実施形態を図１〜図６（ａ），（ｂ）に従って説明する。
【００１４】
（温水循環処理装置）
図１に示すように、温水循環処理装置１１は処理ユニット１２、当該処理ユニット１２に吸込管（ホース）１３及び吐出管１４を介して接続された浴槽内ユニット１５を備えている。
【００１５】
処理ユニット１２は浴槽Ｂの上面における開口部周縁に設置されている。処理ユニット１２は浴槽Ｂ内の温水Ｗを吸い上げるポンプ（  図示略）  、この吸い上げた温水Ｗを加熱又は保温する加熱保温槽（  図示略）  、同じく温水Ｗを殺菌する殺菌槽（  図示略）  及び同じく温水Ｗを浄化する浄化槽（  図示略）  を内蔵している。浴槽内ユニット１５は浴槽Ｂの内周面に沿うように配置されていると共に浴槽Ｂ内の温水Ｗに浸漬されている。
【００１６】
処理ユニット１２は浴槽内ユニット１５及び吸込管１３を介して浴槽Ｂ内の温水Ｗを吸い込み、この温水Ｗを適温に加温すると共に殺菌及び浄化する。そして、処理ユニット１２は適温に加温すると共に殺菌及び浄化した温水Ｗを吐出管１４を介して浴槽Ｂ内に吐出する。このように、浴槽Ｂ内の温水Ｗは処理ユニット１２内を循環することにより保温、殺菌及び浄化される。
【００１７】
（浴槽内ユニット）
図２に示すように、浴槽内ユニット１５は本体ケース２０、当該本体ケース２０に装着されたカバー５０及び本体ケース２０とカバー５０との間に配置されたフィルタ装置７０を備えている。
【００１８】
（本体ケース）
本体ケース２０は合成樹脂材料（例えばＡＢＳ樹脂）により一体的に形成されており、フィルタ支持体２１、吸水側接続管２２、吐出側接続管２３（図１参照）及び吐出ノズル２４を備えている。吸水側接続管２２及び吐出側接続管２３はそれぞれフィルタ支持体２１の内部と連通されて上方へ延びるように設けられている。また、吸水側接続管２２と吐出側接続管２３とは互いに平行をなすように配置されている。吐出ノズル２４は吐出側接続管２３の先端（上端）寄りに一体的に設けられており、浴槽Ｂの内方に向って延びている。
【００１９】
フィルタ支持体２１は前面側（図２における右側）に開口部２１ａを有する有底円筒状に形成されており、当該開口部２１ａが浴槽Ｂの内方を向くように配置されている。フィルタ支持体２１の底壁における開口部２１ａ側の面には円環状のフィルタ支持体側リブ２５が当該フィルタ支持体２１の内周面に沿うように形成されている。また、フィルタ支持体２１の底壁における開口部２１ａ側の面には複数の整流リブ２６が突設されている。各整流リブ２６は吐出側接続管２３から吸水側接続管２２の方向に延びる円弧板状に形成されている。
【００２０】
図２及び図３に示すように、フィルタ支持体２１の底壁において、浴槽Ｂの内周面側の面（フィルタ支持体２１の底面）の上部及び下部にはそれぞれ吸盤支持体２７（図２では一方のみ図示する。）が一体的に形成されている。この吸盤支持体２７には凹部２７ａが形成されており、当該凹部２７ａには吸盤２８の基端部に形成された円環状の溝２８ａが着脱可能に係入されている。浴槽内ユニット１５は２つの吸盤２８により浴槽Ｂの内周面に着脱可能に取り付けられている。
【００２１】
図２に示すように、吸水側接続管２２の先端（上端）には連結管３０の一端（下端）が取付けられており、当該連結管３０の他端（上端）には前記吸込管１３が連結されている。吸水側接続管２２の一端には逆止弁３１が設けられており、この逆止弁３１により吸込管１３内の温水Ｗが吸水側接続管２２内に逆流することが防止される。連結管３０の中間部には呼び水用ノズル３２が一体的に形成されている。
【００２２】
図６（ａ），（ｂ）及び図７（ａ），（ｂ）に示すように、フィルタ支持体２１の外周面には、２つの係合突部Ｍａ，Ｍｂが互いに反対側に位置するように形成されている。係合突部Ｍａはその下部に向うにつれて幅広となる板状に形成されている。係合突部Ｍｂその上部に向うにつれて幅広となる板状に形成されている。係合突部Ｍａ及び係合突部Ｍｂの外周縁はそれぞれ滑らかな曲面状に形成されている。
【００２３】
（カバー）
次に、カバー５０の構成について説明する。図２及び図４に示すように、カバー５０は合成樹脂材料（例えばＡＢＳ樹脂）により有蓋円筒状に形成されており、フィルタ支持体２１の開口部２１ａに着脱可能に内嵌されている。カバー５０は、円板状の前面壁５０ａと、当該前面壁５０ａにおける内面（前面とは反対側の面）の外周縁に形成された円環状の外周壁５０ｂとを備えている。
【００２４】
カバー５０の内底面（図２の左側側面）には外周壁５０ｂの内周面に沿うように円環状のカバー側リブ５１が突設されていると共に当該カバー側リブ５１の内側領域には複数の整流リブ５２が放射状に設けられている。また、カバー５０の内底面（前面壁５０ａの内面）の中央にはフィルタ取付用の係入ピン５３が突設されており、この係入ピン５３を囲むように円筒状の収容部材５４が設けられている。係入ピン５３には支持具６０を介して後述するフィルタ装置７０を構成するメインフィルタ７１が着脱可能に取付けられている。
【００２５】
図２に示すように、カバー５０の下部には温水Ｗの吸込口５５が形成されている。即ち、カバー５０の外周壁５０ｂの下部には下方に開口する開口部５６が形成されている。また、図２及び図３に示すように、カバー５０の前面壁５０ａの下部には扇状の切欠部５７が形成されている。開口部５６と切欠部５７とは互いに連通している。浴槽内ユニット１５を前面側（図２における右側）から見たとき、吸込口５５（切欠部５７）からメインフィルタ７１の前面の一部が露出している。
【００２６】
図６（ａ），（ｂ）及び図７（ａ），（ｂ）に示すように、カバー５０（外周壁５０ｂ）の外周面には、２つの係合爪Ｎａ，Ｎｂが互いに反対側に位置するように形成されている。切欠部５７をカバー５０の下部に位置させた状態において（図４参照）、係合爪Ｎａの上部には係合突部Ｍａを係合可能とした係合凹部Ｓａが形成されている。同じく係合爪Ｎｂの下部には係合突部Ｍｂを係合可能とした係合凹部Ｓｂが形成されている。
【００２７】
係合爪Ｎａ，Ｎｂが本体ケース２０の係合突部Ｍａ，Ｍｂに干渉しないようにカバー５０をフィルタ支持体２１の開口部２１ａに内嵌した状態で時計方向に回動させることにより、係合爪Ｎａ，Ｎｂの係合凹部Ｓａ，Ｓｂに本体ケース２０の係合突部Ｍａ，Ｍｂがそれぞれ係合している。これにより、カバー５０は本体ケース２０に固定されている。
【００２８】
（支持具）
次に、前記支持具６０について説明する。図５に示すように、支持具６０の外周面には後述するメインフィルタ７１を支持するための円環状の支持溝６１が形成されており、この支持溝６１の幅はメインフィルタ７１の厚み程度に設定されている。支持具６０の一端側にはツマミ６２が設けられており、同じく他端側には当該支持具６０の外端に向うほど縮径するテーパ部６３が形成されている。また、支持具６０の外端面には前記カバー５０の係入ピン５３を係入可能とした係入穴６４が形成されている。
【００２９】
（フィルタ装置）
次に、前記フィルタ装置７０について説明する。図５に示すように、フィルタ装置７０はメインフィルタ７１及びサブフィルタ７２を備えている。メインフィルタ７１は連泡性を有する発泡ウレタンにより肉厚の円形厚板状に形成されている。メインフィルタ７１の中央には取付孔７１ａが貫通して形成されている。このメインフィルタ７１よりも下流側（図２における左側）にはサブフィルタ７２が配置されている。サブフィルタ７２の中央には固定用凹部７２ａが内面側（図２における左側）に凹設されている。サブフィルタ７２は固定用凹部７２ａの底壁にボルト７３を貫通し、フィルタ支持体２１の底壁に締め付けることにより当該フィルタ支持体２１（即ち、本体ケース２０）に固定されている。また、サブフィルタ７２には複数のパンチ孔７２ｂが全体に亘って形成されている。
【００３０】
（メインフィルタの取付け状態）
次に、メインフィルタ７１のカバー５０及び本体ケース２０への取付け状態について説明する。図２〜図５に示すように、支持具６０はメインフィルタ７１の取付孔７１ａを貫通しており、当該支持具６０の支持溝６１には前記取付孔７１ａの縁がそれぞれ係入されている。この状態で、支持具６０の係入穴６４はカバー５０の係入ピン５３に外嵌されており、支持具６０の外端面はカバー５０の内底面に密接している。また、メインフィルタ７１の外周面には外周壁５０ｂの内周面が密接しており、メインフィルタ７１の前面（図２における右側側面）にはカバー５０の各整流リブ５２及び収容部材５４の内端縁（図２における左側側縁）がそれぞれ密接している。
【００３１】
図２及び図４に示すように、カバー５０の外周壁５０ｂはフィルタ支持体２１の開口部２１ａに内嵌されており、これによりカバー５０に取付けられたメインフィルタ７１はフィルタ支持体２１に収容されている。このように、メインフィルタ７１が装着されたカバー５０を本体ケース２０（フィルタ支持体２１）に取り付けた状態において、メインフィルタ７１はフィルタ支持体側リブ２５とカバー側リブ５１とにより挟持されている。また、当該メインフィルタ７１はフィルタ支持体２１側の各整流リブ２６とカバー５０側の各整流リブ５２とにより挟持されている。このようにして、メインフィルタ７１は本体ケース２０とカバー５０との間に固定される。
【００３２】
（フィルタの取付け手順）
次に、メインフィルタ７１のカバー５０への取付け手順について説明する。メインフィルタ７１の取付孔７１ａに支持具６０を挿通する。支持具６０はそのテーパ部６３側から取付孔７１ａに挿通されるので挿入作業が容易となる。そして、メインフィルタ７１が取付けられた支持具６０の係入穴６４をカバー５０の収容部材５４に外嵌する。このとき、ツマミ６２を指でつまむことによりメインフィルタ７１のカバー５０への取付け作業が容易となる。以上で、メインフィルタ７１のカバー５０への取付け作業は完了となる。このメインフィルタ７１が装着されたカバー５０を本体ケース２０に取付ければメインフィルタ７１の本体ケース２０への取付が完了となる。
【００３３】
（実施形態の作用）
次に、前述のように構成した浴槽内ユニットの作用について説明する。
（運転時）
図２に矢印で示すように、温水循環処理装置１１の運転時、浴槽Ｂ内の温水Ｗはカバー５０の吸込口５５（開口部５６及び切欠部５７）からメインフィルタ７１及びサブフィルタ７２を通過して吸水側接続管２２へ吸水される。
【００３４】
また、メインフィルタ７１の前面の一部はカバー５０の切欠部５７から浴槽Ｂ内に露出しており、温水Ｗ中の毛髪は水流ρの方向と平行となる体勢に整えられる前にメインフィルタ７１に至る。即ち、温水Ｗ中の毛髪が水流ρの方向と交わる体勢であったとしても、この毛髪はそのままの体勢でメインフィルタ７１に至り、当該メインフィルタ７１の前面（図２における右側側面）に付着する。
【００３５】
温水Ｗ中の毛髪がメインフィルタ７１の前面で受けられるので、温水Ｗ中の毛髪等がメインフィルタ７１内に水流ρと同方向に毛先から侵入して捕獲されることが抑制される。従って、温水Ｗを狭い流通路を介して吸い込むようにした場合と異なり、メインフィルタ７１の連泡孔内に毛髪が深く入り込み、当該メインフィルタ７１の内部に絡まった状態で捕獲されることが抑制される。
【００３６】
毛髪等の異物が除去された温水Ｗは吸水側接続管２２から逆止弁３１を通って連結管３０へ送られ、さらに吸込管１３を経て処理ユニット１２へ送られる。温水Ｗは処理ユニット１２内を循環することにより殺菌及び浄化されると共に適温に温められる。処理ユニット１２内で各種の処理がなされた処理済みの温水Ｗは吐出管１４を通って吐出側接続管２３へ送られ、吐出ノズル２４から浴槽Ｂ内に吐出される。
【００３７】
（フィルタの洗浄時）
温水循環処理装置１１の使用に伴うメインフィルタ７１の目詰まりを防止するために、当該メインフィルタ７１は適宜洗浄される。図６（ａ）に示す装着状態からカバー５０を反時計回りに１８０度回転させて吸込口５５を当該カバー５０の上部に位置させる。このとき、カバー５０に設けた係合爪Ｎａ，Ｎｂの係合凹部Ｓａ，Ｓｂと本体ケース２０に突設した係合突部Ｍａ，Ｍｂとの係合状態が解除される。これにより、本体ケース２０からカバー５０を取り外すことができる。
【００３８】
図６（ｂ）に示すように、カバー５０を浴槽Ｂ内から引き上げる際、メインフィルタ７１に含まれている温水Ｗ及びカバー５０内に滞留している温水Ｗはそれぞれメインフィルタ７１の内面（図２における左側側面）を介してカバー５０の外に排出される。カバー５０を本体ケース２０から取り外すとき、メインフィルタ７１の前面（図２における右側側面）に付着した毛髪等が当該メインフィルタ７１の前面から脱落しても、この脱落した毛髪等は吸込口５５の反対側のカバー５０内に落下する。このため、当該メインフィルタ７１の前面から付着した毛髪が浴槽Ｂ内に落下することが防止される。
【００３９】
カバー５０を本体ケース２０から取外した後、メインフィルタ７１をカバー５０から取外す。このとき、支持具６０のツマミ６２をつまんで引っ張るだけでよいので、メインフィルタ７１のカバー５０からの取外しが容易である。そして、支持具６０からメインフィルタ７１を取外してそれぞれ流水等で洗浄する。前述したように、メインフィルタ７１の孔（連泡）に毛髪が毛先から深く入り込んで絡み合っていないので、メインフィルタ７１は流水で洗い流すだけで毛髪等の異物を容易に除去することができる。また、毛髪以外の湯垢等の異物は簡単なもみ洗いでで捕獲した異物を除去することができる。
【００４０】
そして、メインフィルタ７１の洗浄が完了すると、前記取り外し動作の逆動作を行う。即ち、メインフィルタ７１をカバー５０に装着した後、吸込口５５を上方に位置させた状態で浴槽Ｂ内の本体ケース２０に当該カバー５０を当接させる。そして、カバー５０を時計回りに１８０度回転させることにより本体ケース２０の係合突部Ｍａ，Ｍｂとカバー５０に設けた係合爪Ｎａ，Ｎｂの係合凹部Ｓａ，Ｓｂとが係合状態となる。以上でメインフィルタ７１の本体ケース２０への装着が完了する。このとき、吸込口５５はカバー５０の下部に位置している。
【００４１】
（実施形態の効果）
従って、本実施形態によれば、以下の効果を得ることができる。
（１）カバー５０の吸込口５５からメインフィルタ７１の前面の一部が露出するように当該吸込口５５を形成するようにした。即ち、カバー５０の吸込口５５から狭い流通路的要素を排除するようにした。このため、温水Ｗ中の細くて長い糸くず及び毛髪等は浮遊状態でカバー５０の吸込口５５から内部に吸込まれてメインフィルタ７１の前面に吸着される。温水Ｗ中の毛髪等はメインフィルタ７１の前面で受けられるので、毛髪等の異物を狭い流通路を介して吸込むようにした場合と異なり、毛髪等がその毛先からメインフィルタ７１内に侵入することが抑制される。従って、温水Ｗ中の毛髪等がメインフィルタ７１の奥深くにおいて絡み合うことはない。そして、メインフィルタ７１を掃除する際には、当該メインフィルタ７１に付着した毛髪等は容易に除去されるので、メインフィルタ７１の掃除を簡単にすることができる。また、例えば長髪女性等の入浴時において、浴槽Ｂの底部に毛髪が落ち込んで、この毛髪が誤って浴槽内ユニット１５の吸込口５５に吸引されたとしても、メインフィルタ７１の前面での異物受け作用により、毛髪がメインフィルタ７１の内部に絡みつくことはない。
【００４２】
（２）温水Ｗの吸込口５５はカバー５０の下部において当該カバー５０の外周壁５０ｂから前面壁５０ａ下部に亘って切欠形成するようにした。具体的には、吸込口５５は、カバー５０の外周壁５０ｂの下部に開口形成された開口部５６と、カバー５０の前面壁５０ａの下部に前記開口部５６と連通するように形成された切欠部５７とから構成するようにした。このため、吸込口５５を外周壁５０ｂ下部の開口部５６のみから構成するようにした場合と異なり、吸込口５５の開口面積が大きく確保される。従って、浴槽Ｂの底に沈んだ毛髪等の異物を効率よく吸込むことができる。一般に、温水Ｗ中の毛髪は浴槽Ｂの底部に沈下しやすいからである。
【００４３】
（３）カバー５０側にメインフィルタ７１を着脱可能に設け、このメインフィルタ７１を取り付けた状態で当該カバー５０を本体ケース２０に着脱可能にした。具体的には、カバー５０の内底面の中央に突設された係入ピン５３に、メインフィルタ７１が装着された支持具６０の係入穴６４を外嵌することによりメインフィルタ７１をカバー５０に取付け、このメインフィルタ７１が取付けられたカバー５０を本体ケース２０に取付けるようにした。このため、浴槽Ｂ内に位置する本体ケース２０からカバー５０を介してメインフィルタ７１を脱着できる。メインフィルタ７１に直接触れることがないので、メインフィルタ７１の着脱作業時において当該メインフィルタ７１から浴槽Ｂ内へ捕獲された異物が流れ出ることがない。
【００４４】
（４）本体ケース２０に対しカバー５０をその吸込口５５が上方を向くように取り外すようにした。このため、メインフィルタ７１を掃除する際には、前記吸込口５５が前記カバー５０の上部に位置するように当該カバー５０を取り外すこととなり、メインフィルタ７１の前面に付着した毛髪等の異物が浴槽Ｂ内に落下することを抑制することができる。これは、カバー５０を本体ケース２０から取り外したとき、メインフィルタ７１の表面から離脱した毛髪等の異物はカバー５０内（厳密には吸込口５５の反対側のカバー５０とメインフィルタ７１との間に形成された隙間）に落下するからである。即ち、カバー５０はメインフィルタ７１の前面に付着した毛髪等の異物が浴槽Ｂ中に落下しないように当該毛髪等の異物をキャッチする受け皿として機能する。
【００４５】
（５）支持具６０にはツマミ６２を設けた。このため、作業者はツマミ６２をつまむことにより、メインフィルタ７１のカバー５０への着脱作業を容易に行うことができる。具体的には、メインフィルタ７１が装着された支持具６０の係入穴６４をカバー５０の係入ピン５３に取付ける作業が簡単になる。従って、浴槽内ユニット１５の組立て作業効率を向上させることができる。
【００４６】
（６）吸込口５５は、カバー５０の外周壁５０ｂの下部に開口形成された開口部５６と、カバー５０の前面壁５０ａの下部に前記開口部５６と連通するように形成された切欠部５７とから構成するようにした。このため、吸込口５５が外周壁５０ｂ下部の開口部５６のみから構成された既設のカバーにおいて、当該カバーの前面壁の下部に例えば切欠部５７を開口部５６に連通するように切欠形成することにより、次のような効果を得ることが出来る。即ち、従来通りに浴槽Ｂの底部に沈下した毛髪等の異物を吸込むことができる。また、吸込んだ毛髪がその毛先からメインフィルタ７１の孔（メッシュ）に深く入り込んで絡みつくことを抑制することができる。
（７）浴槽内ユニット１５の本体ケース２０には、メインフィルタ７１の下流側に位置するサブフィルタ７２を設けた。このため、メインフィルタ７１の掃除中或いはメインフィルタ７１の装着忘れが発生した場合であっても、このサブフィルタ７２により毛髪等の配管内部への吸い込みを抑制することができる。
【００４７】
（別例）
尚、前記実施形態は以下のような別例に変更して実施してもよい。
・本実施形態では切欠部５７を扇状としたが、例えば四角形（長方形及び正方形）等任意の形状に変更するようにしてもよい。
【００４８】
・本実施形態では、切欠部５７をカバー５０の下部に開口部５６と連通するように形成したが、切欠部５７をカバー５０の中央部に形成するようにしてもよい。そして、この切欠部５７からメインフィルタ７１の前面の一部を露出させる。この場合、切欠部５７を円形、楕円形、三角形、四角形及び多角形（五角形、六角形…）等の任意形状とする。このようにしても、温水Ｗ中の毛髪はメインフィルタ７１の前面で受けられるので、当該毛髪が毛先からメインフィルタ７１内に奥深く侵入して絡みつくことが抑制される。
【００４９】
・また、開口部５６を省略してもよい。この場合、浴槽Ｂ内の温水Ｗは切欠部５７のみから吸い込まれる。
・本実施形態では、吸込口５５をカバー５０の下部に設けるようにしたが、上部に設けるようにしてもよい。このようにしても、本実施形態における（１），（３），（５）〜（７）に記載の効果と同様の効果を得ることができる。
【００５０】
・本実施例では浴槽内ユニット１５を円筒状としたが、この形状に限定されるものではない。例えば浴槽内ユニット１５を四角筒状に構成するようにしてもよい。
【００５１】
・本実施形態では、本体ケース２０に対するカバー５０の装着方法を、カバー５０の本体ケース２０に対する当接面に沿って回転させるようにしたが、次のように構成するようにしてもよい。即ち、図２に二点鎖線で示すように、本体ケース２０に対してカバー５０を当該カバーの上部を支点として上開き可能に構成する。メインフィルタ７１を取り外す際には、カバー５０の下部側を当該カバー５０の前面側に持ち上げる。このようにしても、本実施形態と同様の効果が得られる。
【００５２】
・サブフィルタ７２を省略するようにしてもよい。
・本体ケース２０に対し、吸込口５５が上方を向く状態においてカバー５０が着脱可能となるように、係合突部Ｍａ，Ｍｂ、係合爪Ｎａ，Ｎｂ及び係合凹部Ｓａ，Ｓｂを構成するようにしてもよい。このようにすれば、カバー５０を本体ケース２０から取り外すとき、吸込口５５は必ず上方を向くので、メインフィルタ７１に付着した毛髪等の異物の浴槽Ｂ内への落下をより確実に抑制することができる。
【００５３】
（付記）
次に前記実施形態及び別例から把握できる技術的思想を以下に追記する。
・浴槽内に配置された浴槽内ユニットの吸込口から吸込んだ浴槽内の温水中の異物を当該浴槽内ユニットを通過させることにより除去して処理ユニットへ供給し、当該処理ユニットを通過してきた処理済みの温水を前記浴槽内ユニットを介して浴槽内に吐出するようにした温水循環処理装置において、前記浴槽内ユニットを、請求項１〜請求項３のうちいずれか一項に記載の浴槽内ユニットとした温水循環装置。
【００５４】
【発明の効果】
本発明によれば、フィルタに付着した毛髪を容易に除去することができる。
【図面の簡単な説明】
【図１】本実施形態における温水循環処理装置の設置状態を示す斜視図。
【図２】本実施形態における浴槽内ユニットの側断面図。
【図３】本実施形態における浴槽内ユニットの平断面図。
【図４】本実施形態における浴槽内ユニットの要部正面図。
【図５】本実施形態におけるフィルタの分解斜視図。
【図６】（ａ）は本実施形態における本体ケースとカバーとを装着した状態の浴槽内ユニットの斜視図、
（ｂ）は浴槽内ユニットのカバーの取外しを示す斜視図。
【図７】（ａ）は本実施形態における本体ケースの一方の係合突部とカバーの一方の係合爪との係合状態を示す側面図、
（ｂ）は本実施形態における本体ケースの他方の係合突部とカバーの他方の係合爪との係合状態を示す側面図。
【符号の説明】
１１…温水循環処理装置、１２…処理ユニット、１５…浴槽内ユニット、
２０…本体ケース、２１ａ…フィルタ支持体の開口部（本体ケースの開口部）、
５０…カバー、５０ａ…カバーの前面壁、５０ｂ…カバーの外周壁、
５３…フィルタ取付構造を構成する係入ピン、５５…吸込口、５６…開口部、５７…切欠部、７１…メインフィルタ（本発明におけるフィルタ）、
Ｂ…浴槽、Ｗ…温水。
【図１】
2004321500.tif 000003
【図２】
2004321500.tif 000004
【図３】
2004321500.tif 000005
【図４】
2004321500.tif 000006
【図５】
2004321500.tif 000007
【図６】
2004321500.tif 000008
【図７】
2004321500.tif 000009